(57)【要約】【課題】  本発明は、回転部材が回転操作されることにより、回転部材に形成された押圧部が、押圧部の回転軌跡上に配置された各被押圧部を逐次押圧して、各弁体を択一的に開状態とする流路切換装置に関し、その目的は、各弁手段の開状態とするための各被押圧部を互いの干渉を回避して適切に配置しながら、比較的小さい回転部材の回転操作より流路を切り換えることができる流路切換装置を提供する点にある。【解決手段】  回転部材５１に、押圧部の複数５１ａ，５１ｂ，５１ｃが、回転軌跡Ｌ上に等間隔で配置され、各押圧部５１ａ，５１ｂ，５１ｃの押圧部配置角度をｉ、各被押圧部３７ａ，３８ａ，３９ａの被押圧部配置角度をＩ、流出口の数をＮとした場合に、Ｉ＝ｉ・（Ｎ−１）／Ｎの関係を満たすように、各押圧部５１ａ，５１ｂ，５１ｃ及び各被押圧部３７ａ，３８ａ，３９ａが配置されている。【選択図】        図１０
2005106240.tif 000002
【特許請求の範囲】
【請求項１】
原水が流入する流入室に形成された３以上の流出口の夫々に、前記流出口に密接した閉状態で付勢配置された弁体が設けられ、
回転操作式の回転部材に、回転軸に沿って突出する押圧部が形成され、
前記押圧部の回転軌跡上に、前記各弁体に対応し、被押圧時に、対応する前記弁体を前記流出口から離間する開状態に移動させる被押圧部が夫々配置され、
前記回転部材が所定の回転操作角度毎に回転操作されることにより、前記押圧部が前記各被押圧部を逐次押圧して、前記各弁体を択一的に開状態とする流路切換装置であって、
前記回転部材に、前記押圧部の複数が、前記回転軌跡上に等間隔で配置され、
前記各押圧部の配置角度である押圧部配置角度をｉ、前記各被押圧部の隣接間における配置角度である被押圧部配置角度をＩ、前記流出口の数をＮとした場合に、
Ｉ＝ｉ・（Ｎ−１）／Ｎ
の関係を満たすように、前記各押圧部及び前記各被押圧部が配置されている流路切換装置。
【請求項２】
前記複数の流出口が、直流用流出路、シャワー用流出路、及び、浄水用流出路の夫々に通じる３つの流出口である請求項１に記載の流路切換装置。
【請求項３】
前記被押圧部が、前記各流出口から水平方向に延出する各流出室内に配置され先端部が前記弁体と接する従動部材の基端部として構成され、
前記各流出室が互いに平行に並設されている請求項１又は２に記載の流路切換装置。
【発明の詳細な説明】
【技術分野】
【０００１】
本発明は、原水が流入する流入室に形成された３以上の流出口の夫々に、前記流出口に密接した閉状態で付勢配置された弁体が設けられ、
回転操作式の回転部材に、回転軸に沿って突出する押圧部が形成され、
前記押圧部の回転軌跡上に、前記各弁体に対応し、被押圧時に、対応する前記弁体を前記流出口から離間する開状態に移動させる被押圧部が夫々配置され、
前記回転部材が所定の回転操作角度毎に回転操作されることにより、前記押圧部が前記各被押圧部を逐次押圧して、前記各弁体を択一的に開状態とする流路切換装置に関し、特に浄水器に設けられる流路切換装置に関する。
【背景技術】
【０００２】
浄水器等に設けられる流路切換装置は、原水が流入する流入室に、原水を浄化部に通流させた後に吐出するための浄水用流出口、水道水をそのまま直流状態で吐出するための直流用流出口、水道水をそのままシャワー状態で吐出するためのシャワー用流出口等の複数の流出口を設け、各流出口に密接した閉状態で付勢配置された複数の弁体を択一的に開状態とするように構成されている。
【０００３】
かかる流路切換装置は、図１３に示すように、回転操作式の回転部材に、回転軸に沿って突出する押圧部１５１ａ，１５１ｂが形成され、その押圧部１５１ａ，１５１ｂの回転軌跡Ｌ’上に、各弁体に対応し、被押圧時に対応する弁体を流出口から離間する開状態に移動させる被押圧部１３７ａ，１３８ａ，１３９ａを夫々配置し、回転部材が所定の回転操作角度ｒ’毎に回転操作されることにより、押圧部１５１ａ，１５１ｂが複数の被押圧部１３７ａ，１３８ａ，１３９ａを逐次押圧するように構成する場合がある。
尚、図１３において、被押圧部１３７ａは、直流用流出口を開状態とするための被押圧部であり、被押圧部１３８ａは、シャワー用流出口を開状態とするための被押圧部であり、被押圧部１３９ａは、浄水用流出口を開状態とするための被押圧部である。
【０００４】
このような流路切換装置においては、一般的に、各被押圧部１３７ａ，１３８ａ，１３９ａの隣接間における被押圧部配置角度Ｉ’と等しい回転操作角度ｒ’毎に回転部材を回転させることにより、回転部材に形成された押圧部１５１ａ，１５１ｂの１つが、各被押圧部１３７ａ，１３８ａ，１３９ａを順に押圧して、弁体を択一的に開状態とするように、押圧部１５１ａ，１５１ｂ及び被押圧部１３７ａ，１３８ａ，１３９ａが配置されている。
【発明の開示】
【発明が解決しようとする課題】
【０００５】
上記のように、回転部材の回転操作に伴って押圧部１５１ａ，１５１ｂの１つにより各被押圧部１３７ａ，１３８ａ，１３９ａを逐次押圧するように、押圧部１５１ａ，１５１ｂ及び被押圧部１３７ａ，１３８ａ，１３９ａを配置する場合において、被押圧部配置角度Ｉ’と等しい回転操作角度ｒ’毎に、回転部材を回転操作する必要があり、使用者が流路を切り換えるために比較的大きな動作を要するという問題がある。
また、このような問題を解消するために、被押圧部１３７ａ，１３８ａ，１３９ａを近接して配置することは、被押圧部１３７ａ，１３８ａ，１３９ａの構造上の干渉により困難である。
【０００６】
回転部材において複数の押圧部１５１ａ，１５１ｂを押圧部１５１ａ，１５１ｂの回転軌跡上に等間隔で配置することで、押圧部１５１ａ，１５１ｂの１つにより各被押圧部１３７ａ，１３８ａ，１３９ａを逐次押圧する工程を、回転部材を１回転させるときに複数回出現させることができる。そしてこのような場合においては、回転操作角度ｒ’毎の回転操作を被押圧部１３７ａ，１３８ａ，１３９ａの数と等しい回数行ったときに、各押圧部１５１ａ，１５１ｂが同じ被押圧部１３７ａ，１３８ａ，１３９ａを押圧するように、押圧部配置角度ｉ’を、回転操作角度ｒ’と被押圧部１３７ａ，１３８ａ，１３９ａの数との積に設定する必要がある。
しかし、従来の流路切換装置では、前述のように、回転操作角度ｒ’が比較的大きいために、例えば浄水器のように３つの流出口が存在する場合には、図１３に示すように、せいぜい２つの押圧部１５１ａ，１５１ｂしか回転部材に配置することができず、押圧部１５１ａ，１５１ｂの１つにより各被押圧部１３７ａ，１３８ａ，１３９ａを逐次押圧する工程を回転部材を１回転させるときに２回しか出現させることができず、前述と同様、使用者が流路を切り換える動作が比較的大きなものとなってしまう。
【０００７】
本発明は、上記の課題に鑑みてなされたものであり、その目的は、各弁手段を開状態とするための各被押圧部を互いの干渉を回避して適切に配置しながら、比較的小さい回転部材の回転操作より流路を切り換えることができる流路切換装置を提供する点にある。
【課題を解決するための手段】
【０００８】
上記目的を達成するための本発明に係る流路切換装置の第１特徴構成は、原水が流入する流入室に形成された３以上の流出口の夫々に、前記流出口に密接した閉状態で付勢配置された弁体が設けられ、
回転操作式の回転部材に、回転軸に沿って突出する押圧部が形成され、
前記押圧部の回転軌跡上に、前記各弁体に対応し、被押圧時に、対応する前記弁体を前記流出口から離間する開状態に移動させる被押圧部が夫々配置され、
前記回転部材が所定の回転操作角度毎に回転操作されることにより、前記押圧部が前記各被押圧部を逐次押圧して、前記各弁体を択一的に開状態とする流路切換装置であって、
前記回転部材に、前記押圧部の複数が、前記回転軌跡上に等間隔で配置され、
前記各押圧部の配置角度である押圧部配置角度をｉ、前記各被押圧部の隣接間における配置角度である被押圧部配置角度をＩ、前記流出口の数をＮとした場合に、
Ｉ＝ｉ・（Ｎ−１）／Ｎ
の関係を満たすように、前記各押圧部及び前記各被押圧部が配置されている点にある。
【０００９】
上記第１特徴構成によれば、回転部材に押圧部の複数が回転軌跡上に等間隔で配置されているので、各被押圧部が一度ずつ逐次押圧される切換工程を、回転部材を１回転させるときに複数回出現させることができる。
更に、前記各押圧部及び前記各被押圧部が上記の関係を満たすように配置されているので、被押圧部配置角度Ｉが、押圧部配置角度ｉよりも、ｉ／Ｎ分小さく設定されていることになり、ある被押圧部がある押圧部により押圧されている時点から、回転部材をｉ／Ｎに設定された回転操作角度分回転操作すると、前に被押圧部を押圧していた回転部材の押圧部に対して回転部材の回転方向に沿って１つ前の押圧部が、前に押圧部により押圧されていた被押圧部に対して回転部材の回転方向に沿って１つ前の被押圧部を押圧することになる。従って、回転部材をｉ／Ｎである比較的小さい回転操作角度毎に回転操作することにより、各被押圧部を複数の押圧部で逐次押圧することができる。
また、上記のように回転部材の回転操作角度を比較的小さいものにしながら、被押圧部配置角度Ｉを、その回転操作角度であるｉ／ＮのＮ−１倍という比較的大きい角度とすることができ、従って、各被押圧部を互いの干渉を適切に回避することができる。
【００１０】
本発明に係る流路切換装置の第２特徴構成は、上記第１特徴構成に加えて、前記複数の流出口が、直流用流出路、シャワー用流出路、及び、浄水用流出路の夫々に通じる３つの流出口である点にある。
【００１１】
上記第２特徴構成によれば、浄水器のように、直流用流出路、シャワー用流出路、及び、浄水用流出路の夫々に通じる３つの流出口の夫々に弁体を設ける場合において、その３つの弁体の夫々に対応する３つの被押圧部を互いの干渉を回避した適切な配置にしながら、比較的小さい回転部材の回転操作より３つの流路を逐次切り換えることができる流路切換装置を提供することができる。
【００１２】
本発明に係る流路切換装置の第３特徴構成は、上記第１又は第２特徴構成に加えて、前記被押圧部が、前記各流出口から水平方向に延出する各流出室内に配置され先端部が前記弁体と接する従動部材の基端部として構成され、
前記各流出室が互いに平行に並設されている点にある。
【００１３】
上記第３特徴構成によれば、各被押圧部を、上記各従動部材の基端部として形成し、その各従動部材が設けられた各流出室を、各流出口から水平方向に延出し、且つ、互いに平行に並設されたものとすることで、鉛直方向において小型化を実現することができる。
【発明を実施するための最良の形態】
【００１４】
本発明に係る浄水器及び浄水器カートリッジの実施の形態を、図面に基づいて説明する。
【００１５】
図１に示す浄水器１の側面図、及び、図２に示す浄水器１の下方から見た平面図を参照して、浄水器１は、蛇口５に接続される浄水器本体２と、その浄水器本体１に対して着脱自在に構成された浄水器カートリッジ６とからなる。
【００１６】
浄水器本体２には、蛇口５から吐出された原水を受け入れる状態で前記蛇口５に接続される蛇口接続部１０と、蛇口接続部１０から流入した原水の流出先を直流用流出路４１とシャワー用流出路４２と浄水用流出路４３とに択一的に切り換える流路切換装置２０とが設けられている。
【００１７】
浄水器カートリッジ６には、浄水用流出路４３から受け入れた原水を通流させて浄化する濾過材や中空糸フィルター等からなる浄化部６１と、前記浄化部６１で浄化された浄水を吐出する浄水用吐出口４６とが設けられている。
【００１８】
浄水器１は、浄水器本体２に、直流用流出路４１に流出した原水を直流状態で吐出する直流用吐出口４４を設け、更に、浄水器カートリッジ６に、前記シャワー用流出路４２から受け入れた原水をシャワー状で吐出するシャワー用吐出口４５を上記浄水用吐出口４６とともに設けて構成されている。
従って、このように構成された浄水器１では、比較的汚れやすいシャワー用吐出口４５を浄水器カートリッジ６側に設けることで、浄水器カートリッジ６の交換の際に、汚れたシャワー用吐出口４５も新しいものに交換されることになり、シャワー用吐出口４５の清掃を必要としない。
また、比較的汚れ難い直流用吐出口４４については、浄水器本体２側に設けることで、直流用流出路４１の取り回しのためのスペースを最小限とすることができ、浄水器１の小型化を実現することができる。
【００１９】
本発明に係る浄水器１は、浄水器カートリッジ６が、前記浄水器本体２の側方に位置する状態で、浄水器本体２に装着されるように構成されている。
従って、浄水器カートリッジ６が浄水器本体２の側方に位置して浄水器本体２に装着されるので、浄水器カートリッジ６の高さと浄水器本体２の高さとが重なり合うことになり、浄水器１の高さを小さくすることができる。更に、浄水器本体２に設けた直流用吐出口４４と、浄水器カートリッジ６に設けたシャワー用吐出口４５及び浄水用吐出口４６とが、鉛直方向に沿って略同じ位置に配置され、同じ高さから水が吐出されることになるので、使い勝手が良好な浄水器１となる。
【００２０】
浄水器本体２の蛇口接続部１０は、図３に示すように、蛇口５の端面を内部に支持する第１環状パッキン１６に圧接される状態で、内挿された蛇口５に螺着される第１環状アダプタ１１と、第１環状アダプタ１１の下面との間で上面が第２環状パッキン１３を挟持する第２環状アダプタ１４と、第２環状アダプタ１４の外周に螺着され第１環状アダプタ１１を第２環状アダプタ１４側に押圧して上記第２環状パッキン１３を第１環状アダプタ１１下面と第２環状アダプタ１４上面とを第２環状パッキン１３を圧接させる締め付けリング１２とを備えて構成されている。
【００２１】
上記第２環状アダプタ１４の内側には、断面Ｕ字型の環状パッキン１５により密閉された状態で、流路切換装置２０の上蓋２１から上方に突出した流入管２１ａが内挿される。
そして、上記第２環状アダプタ１４の下面から笠状に突出形成された笠状突部１４ａと、流路切換装置２０の上蓋２１に笠状に突出形成された笠状突部２１ｂとが、互いに密接して、流入管２１ａと第２環状アダプタ１４に内挿した状態で、両側をコの字状の把持部材１７により把持さている。そして、上記把持部材１７を操作して把持状態を解除することで、上記蛇口接続部１０を蛇口５に接続したまま、浄水器本体１０を蛇口５から脱離させることができる。
【００２２】
また、上記のような構成により、第２環状アダプタ２は、流路切換装置２０の流入管２１ａを中心に回転自在であることにより、蛇口接続部材１０は、浄水器本体１０を蛇口５に対して蛇口５の軸心周りに相対回転自在に構成されている。
従って、浄水器本体５の側方に配置された浄水器カートリッジ６に設けられ蛇口５に対して側方に偏心した位置に配置されたシャワー用吐出口４５及び浄水用吐出口４６を、蛇口５の軸心周りに回転させることができので、そのシャワー用吐出口４５及び浄水用吐出口４６をできるだけ広範囲に移動させて、原水及び浄水を吐出させることができる。
【００２３】
即ち、図４に示すように、蛇口５を中心とし、蛇口５に対するシャワー用吐出口４５及び浄水用吐出口４６の偏心距離Ｌを半径とした円周上に、浄水用吐出口４６だけでなくシャワー用吐出口４５も移動させ原水を散水することができ、更に、蛇口５が水平線に沿って移動可能な場合には、蛇口５の移動線Ａを中心にして上記偏心距離Ｌの２倍の幅の範囲Ｂ内に上記シャワー用吐出口４５を移動させて、原水を吐出することができる。
【００２４】
次に、流路切換装置２０について説明を加える。
流路切換装置２０は、図５、図６、及び、図７を参照して、容器状の筐体２２の上方を上蓋２１により封鎖することにより内部を密閉し、その内部には、蛇口接続部１０から上蓋２１の流入管２１ａを介して原水が流入する流入室２４と、流入室２４の側壁に開口する３つの流出口２５，２６，２７と、夫々の流出口２５，２６，２７から水平方向に沿って延出し直流用流出路４１とシャワー用流出路４２と浄水用流出路４３との夫々に連通する３つの流出室２８，２９，３０とを設けて、３つの流出口２５，２６，２７を択一的に開放して流出先を切り換えるように構成されている。
【００２５】
更に、３つの流出室２８，２９，３０は、同一平面上に配置された側方流出室２９，３０と側方流出室２９，３０の間の下方に配置された中央流出室２８とからなる。そして、中央流出室２８が、中央流出室２８の下方に延出する直流用流出路４１に連通され、夫々の側方流出室２９，３０が、シャワー用流出路４２と浄水用流出路４３との夫々に連通されている。
従って、図７に示すように、浄水器カートリッジ６側に向けて折り返されるシャワー用流出路４２と浄水用流出路４３とを、夫々の側方流出室２９，３０の下方且つ中央流出室２８の側方に配置することができ、鉛直方向における小型化が図られている。
【００２６】
また、直流用流出路４１に連通する中央流出室２８が、側方流出室２９，３０よりも下方に配置されているが、その中央流出室２８の直下に直流用吐出口４４を形成し、直流流出路４１を中央流出室から直下に延出するように形成してあるため、直流流出路４１の取り回しのために必要なスペースを最小限とし、一層の小型化が図られている。
【００２７】
夫々の流出室２８，２９，３０には、流出口２５，２６，２７を開閉自在な弁体３１，３２，３３と共に移動して流出口２５，２６，２７を開状態とする開位置と流出口２５，２６，２７を閉状態とする閉位置との間で移動自在な従動部材３７，３８，３９が設けられている。
また、上記弁体３１，３２，３３は、金属製球体であり、流入室２４側から流出口２５，２６，２７に密着するように、付勢部材としてのバネ３４，３５，３６により前記開位置から前記閉位置に向けて弾性的に付勢されている。
そして、上記従動部材３７，３８，３９は、図６（イ）及び図７（イ）に示す閉位置から、図６（ロ）及び図７（ロ）に示す開位置に移動することにより、先端部により流出室２８，２９，３０側から上記弁体３１，３２，３３を流入室２４側に押圧して、弁体３１，３２，３３を流出口２５，２６，２７から離間させて、流出口２５，２６，２７を開放することができる。
【００２８】
更に、夫々の流出室２８，２９，３０の前記流出口２５，２６，２７とは反対側の側方には、夫々の従動部材３７，３８，３９を択一的に前記閉位置から前記開位置に移動させて、前記夫々の流出口２５，２６，２７を択一的に開状態とする操作部５０が設けられている。
従って、流路切換装置２０は、操作部５０を、前記流入室２４及び流出室２８，２９，３０の側方に配置することで、鉛直方向において一層小型化が図られている。
【００２９】
操作部５０は、図８も参照して、流路切換装置２０の筐体２２の側面に形成された軸受部２２ａに回転自在に内挿された回転軸部５１ｅを有する回転部材５１と、浄水器本体２の外側からその回転部材５１を回転させるために回転部材５１に固定された操作レバー５２とからなる。
また、回転部材５１には、互いに異なる位相において、従動部材３７，３８，３９の操作部５０側に突出した基端部である被押圧部３７ａ，３８ａ，３９ａを択一的に流出室２８，２９，３０側に押圧するように、回転部材５１に回転軸に沿って突出するように形成された押圧部５１ａ，５１ｂ，５１ｃが形成されている。
即ち、回転部材５１が所定の回転操作角度毎に回転操作されることにより、押圧部５１ａ，５１ｂ，５１ｃが各被押圧部３７ａ，３８ａ，３９ａを逐次押圧して、各弁体３１，３２，３３を択一的に開状態とし、流出口２５，２６，２７が順次且つ択一的に開放されることになる。
【００３０】
次に、前記各被押圧部３７ａ，３８ａ，３９ａの配置状態、及び、上記回転部材５１における押圧部５１ａ，５１ｂ，５１ｃの配置状態について、説明を加える。
尚、各押圧部５１ａ，５１ｂ，５１ｃの配置角度である押圧部配置角度をｉ、各被押圧部３７ａ，３８ａ，３９ａの隣接間における配置角度である被押圧部配置角度をＩ、流出口２５，２６，２７の数をＮ（＝３）とする。
【００３１】
図１０に示すように、回転部材５１には、回転軸部５１ｅを中心とした押圧部５１ａ，５１ｂ，５１ｃの回転軌跡Ｌ上に、３の押圧部５１ａ，５１ｂ，５１ｃが回転軌跡Ｌ全周に渡って等間隔で配置されている。即ち、押圧部配置角度ｉが１２０°に設定されている。
【００３２】
一方、各被押圧部３７ａ，３８ａ，３９ａは、同じく回転軌跡Ｌ上に沿って、隣接間における被押圧部配置角度Ｉ間隔で配置されており、その各被押圧部３７ａ，３８ａ，３９ａの被押圧部配置角度Ｉは８０°に設定されている。
即ち、被押圧部配置角度Ｉと押圧部配置角度ｉとは、下記の式〔１〕の関係を有する。
【００３３】
Ｉ＝ｉ・（Ｎ−１）／Ｎ（＝ｉ・２／３）  ・・・  〔１〕
【００３４】
即ち、被押圧部配置角度Ｉが、押圧部配置角度ｉよりも、ｉ／Ｎ（＝４０°）分小さく設定されていることになり、例えば、図１０の（１−２）に示すように、ある被押圧部３９ａがある押圧部５１ｂにより押圧されている時点から、回転部材５１をｉ／Ｎ（＝４０°）に設定された回転操作角度ｒ分回転操作すると、図１０の（１−３）に示すように、前に被押圧部３９ａを押圧していた回転部材５１の押圧部５１ｂに対して回転部材５１の回転方向に沿って１つ前の押圧部５１ａが、前に押圧部５１ｂにより押圧されていた被押圧部３９ａに対して回転部材５１の回転方向に沿って１つ前の被押圧部３７ａを押圧することになる。
【００３５】
そして、上記のように各被押圧部３７ａ，３８ａ，３９ａ及び各押圧部５１ａ，５１ｂ，５１ｃを配置することで、回転部材５１を、ｉ／Ｎに設定された回転操作角度ｒ毎に回転操作することで、図１０の（１−１〜３），（２−１〜３），（３−１〜３）に渡って順に示すように、各被押圧部３７ａ，３８ａ，３９ａを各押圧部５１ａ，５１ｂ，５１ｃで逐次押圧することができる。
また、回転部材５１に押圧部５１ａ，５１ｂ，５１ｃが３つ配置されていることにより、回転部材５１を１回転させる間に、３つの流出口２５，２６，２７を一回ずつ逐次開放して流出先を切り換える工程が３度出現することになる。
【００３６】
また、図１１に示すように、回転部材５１に、２の押圧部５１ａ，５１ｂを等間隔で配置する場合には、押圧部配置角度ｉが１８０°となり、前述の式〔１〕を満たすために、被押圧部配置角度Ｉが１２０°となり、回転操作角度ｒが６０°となる。そして、回転部材５１を１回転させる間に、３つの流出口２５，２６，２７を一回ずつ逐次開放して流出先を切り換える工程が２度出現することになる。
【００３７】
更に、図１２に示すように、回転部材５１に、４の押圧部５１ａ，５１ｂ，５１ｃ，５１ｄを等間隔で配置する場合には、押圧部配置角度ｉが９０°となり、前述の式〔１〕を満たすために、被押圧部配置角度Ｉが６０°となり、回転操作角度ｒが３０°となる。そして、回転部材５１を１回転させる間に、３つの流出口２５，２６，２７を一回ずつ逐次開放して流出先を切り換える工程が４度出現することになる。
【００３８】
次に、浄水器カートリッジ６について説明を加える。
浄水器カートリッジ６は、前述したように、浄水用流出路４３から受け入れ浄化部６１で浄化された浄水を吐出する浄水用吐出口４６に加えて、シャワー用流出路４２から受け入れた原水をシャワー状で吐出するシャワー用吐出口４５が設けられ、更に、浄水器本体２の側方に位置する状態で、浄水器本体２側の側面に構成された浄水器カートリッジ取付部５５に着脱自在に構成されている。
【００３９】
即ち、浄水器本体２側には、側方に突出する２つの接続管５６，５７が設けられ、その接続管５６，５７の夫々が、シャワー用流出路４２及び浄水用流出路４３に連通する。
【００４０】
一方、浄水器カートリッジ６側にも、側方に突出する２つの接続管６２，６３が設けられ、この接続管６２，６３の夫々が、シャワー用吐出口４５及び浄化部６１に連通する。
そして、浄水器本体２側の接続管５６，５７を浄水器カートリッジ６側の接続管６２，６３内に内挿することで、浄水器カートリッジ６が浄水器本体２に接続され、更に、浄水器本体２側に設けられた係止部５８を浄水器カートリッジ６側に設けられた係止部６４に係止させることで、その浄水器カートリッジ６が浄水器本体２側に固定される。
また、上記浄水器本体２側の係止部５８はその係止状態を解除するように操作することができ、簡単に、浄水器カートリッジ６を取り外すことができる。
【図面の簡単な説明】
【００４１】
【図１】浄水器の側面図
【図２】浄水器の下方から見た平面図
【図３】浄水器の側断面図
【図４】浄水器の吐水範囲を説明する図
【図５】流路切換装置の平面図
【図６】流路切換装置の側断面図
【図７】流路切換装置の側断面図
【図８】操作部の分解斜視図
【図９】浄水器カートリッジと浄水器本体との接続部の部分拡大図
【図１０】流路切換装置における押圧部と被押圧部との配置状態及び動作状態の一例示す図
【図１１】押圧部と被押圧部との配置状態及び動作状態の一例を示す図
【図１２】押圧部と被押圧部との配置状態及び動作状態の一例を示す図
【図１３】従来の流路切換装置における押圧部と被押圧部との配置状態及び動作状態を示す図
【符号の説明】
【００４２】
１：浄水器
２：浄水器本体
５：蛇口
６：浄水器カートリッジ
１０：蛇口接続部
２４：流入室
２５，２６，２７：流出口
２８：中央流出室
２９，３０：側方流出室
３１，３２，３３：弁体
３４，３５，３６：バネ（付勢部材）
３７，３８，３９：従動部材
３７ａ，３８ａ，３９ａ：被押圧部
４１：直流用流出路
４２：シャワー用流出路
４３：浄水用流出路
４４：直流用吐出口
４５：シャワー用吐出口
４６：浄水用吐出口
５０：操作部
５１：回転部材
５１ａ，５１ｂ，５１ｃ，５１ｄ：押圧部
５１ｅ：回転軸部
５２：操作レバー
６２：浄化部
【図１】
2005106240.tif 000003
【図２】
2005106240.tif 000004
【図３】
2005106240.tif 000005
【図４】
2005106240.tif 000006
【図５】
2005106240.tif 000007
【図６】
2005106240.tif 000008
【図７】
2005106240.tif 000009
【図８】
2005106240.tif 000010
【図９】
2005106240.tif 000011
【図１０】
2005106240.tif 000012
【図１１】
2005106240.tif 000013
【図１２】
2005106240.tif 000014
【図１３】
2005106240.tif 000015